(57)【特許請求の範囲】
【請求項１】
所定の速度を有する液体を別の実質的に停滞した液体容積部に分配するノズル（１００）であって、
該ノズル（１００）は複数の流路（１５０、１６０、１７０）を画定し、該複数の流路（１５０、１６０、１７０）のそれぞれは、管から前記液体を受け入れるように構成されている入口（２１０、２２０、２３０）、及び、出口（１５２、１６２、１７２）を有し、
前記複数の流路（１５０、１６０、１７０）のうちの少なくとも１つが中央流路（１６０）であり、前記複数の流路（１５０、１６０、１７０）のうちの少なくとも第１の流路及び第２の流路が外側流路（１５０、１７０）であり、該外側流路（１５０、１７０）の前記出口（１５２、１７２）は前記中央流路（１６０）の前記出口（１６２）の両側に配置され、
第１の外側流路（１５０）の前記入口（２１０）は前記中央流路（１６０）の前記入口（２２０）を包囲し、前記中央流路（１６０）の前記入口（２２０）は第２の外側流路（１７０）の前記入口（２３０）を包囲し、
第２の外側流路（１７０）は、出口領域（ａ３）よりも小さい入口領域（２３５）を有し、
前記入口（２１０、２２０、２３０）の中心軸は前記出口（１５２、１６２、１７２）の中央面に対して実質的に垂直であるノズル。
【請求項２】
前記ノズル（１００）は更に、
前記入口（２１０、２２０、２３０）の前記中心軸に沿って延びる外側円筒壁（１１０）、
内側円筒仕切り壁（１３０）及び外側円筒仕切り壁（１２０）を備え、
その壁（１３０、１２０）は、前記入口（２１０、２２０、２３０）の前記中心軸に沿って延び、該内側円筒仕切り壁（１３０）は該外側円筒仕切り壁（１２０）によって包囲され、該外側円筒仕切り壁（１２０）は前記外側円筒壁（１１０）によって包囲され、
前記外側円筒仕切り壁（１２０）と前記内側円筒仕切り壁（１３０）との間に形成される前記中央流路（１６０）と、
前記外側円筒壁（１１０）と前記外側円筒仕切り壁（１２０）との間に形成される前記第１の外側流路（１５０）と、
前記内側円筒仕切り壁（１３０）内に形成される前記第２の外側流路（１７０）と
を更に備える請求項１に記載のノズル。
【請求項３】
前記ノズル（１００）は、
前記外側円筒仕切り壁（１２０）に比べて、前記入口（２１０、２２０、２３０）の前記中心軸に沿って更に延びる前記内側円筒仕切り壁（１３０）と、外側円筒壁（１１０）に比べて、前記入口（２１０、２２０、２３０）の前記中心軸に沿って更に延びる外側円筒仕切り壁（１２０）とを更に備える請求項２に記載のノズル。
【請求項４】
前記ノズル（１００）は、
外側壁（１１０）の端（１１２）、及び、外側仕切り壁（１２０）に対して実質的に垂直な方向に外側仕切り壁（１２０）の端から延びる第１のフランジ（１２２）によって画定される前記第１の外側流路（１５０）の前記出口（１５２）と、
前記第１のフランジ（１２２）、及び、内側仕切り壁（１３０）に対して実質的に垂直な方向に内側仕切り壁（１３０）の端から延びる第２のフランジ（１３２）によって画定される前記中央流路（１６０）の前記出口（１６２）と、
前記第２のフランジ（１３２）、及び、前記入口（２１０、２２０、２３０）の前記中心軸に沿って前記第２のフランジ（１３２）の下に位置決めされる底部プレート（１４０）によって画定される前記第２の外側流路（１７０）の前記出口（１７２）であって、前記底部プレート（１４０）は前記入口（２１０、２２０、２３０）の前記中心軸に対して実質的に垂直に延びる、前記出口（１７２）と
を更に備える請求項２又は３に記載のノズル。
【請求項５】
入口領域（２１５、２２５、２３５）及び出口領域（a１、a２、a３）は液体が各入口（２１０、２２０、２３０）に流入するときの液体の速度に適合し、前記第１の外側流路（１５０）及び前記第２の外側流路（１７０）の各出口（１５２、１７２）から流れ出るときの液体の速度が、前記中央流路（１６０）の前記出口（１６２）から流れ出る液体の速度よりも実質的に低くなるものである請求項１〜４のいずれか一項に記載のノズル。
【請求項６】
前記第１の外側流路（１５０）は、出口領域（ａ１）よりも小さい入口領域（２１５）を有する請求項１〜５のいずれか一項に記載のノズル。
【請求項７】
前記中央流路（１６０）は、出口領域（ａ２）よりも小さい入口領域（２２５）を有する請求項１〜６のいずれか一項に記載のノズル。
【請求項８】
前記第１の外側流路（１５０）の前記出口領域（ａ１）は、前記第２の外側流路（１７０）の前記出口領域（ａ３）よりも小さい請求項１〜７のいずれか一項に記載のノズル。
【請求項９】
前記入口（２１０、２２０、２３０）の前記中心軸に沿って延びる少なくとも１つの補助仕切り壁（４１０、４２０）を更に備え、該補助仕切り壁（４１０、４２０）は、前記複数の流路（１５０、１６０、１７０）のそれぞれを、少なくとも２つの実質的に等しいサイズの補助流路に分割するように構成されている請求項１〜８のいずれか一項に記載のノズル。
【請求項１０】
互いに対して垂直に配置される第１の補助仕切り壁（４１０）及び第２の補助仕切り壁（４２０）を備える請求項９に記載のノズル。
【請求項１１】
前記管は入れ子管式である請求項１〜１０のいずれか一項に記載のノズル。
【請求項１２】
所定の速度を有する液体を別の実質的に停滞した液体容積部に分配する請求項１〜１１のいずれか一項に記載のノズルの使用方法。
【請求項１３】
前記液体は第１の温度を有し、前記液体は同じ第１の温度を有する前記実質的に停滞した液体容積部において層に分配される請求項１２に記載のノズルの使用方法。
【発明の詳細な説明】
【技術分野】
【０００１】
本発明は、ノズルの分野に関し、より詳細には、流体を分配するノズルに関する。
【背景技術】
【０００２】
流体は、重力及び流体の密度に応じて水平な層を形成することが知られている。流体の密度に影響する特性の例が温度である。例えば、４℃の温度を有する水は、全ての液体の水のうち最も高い密度を有する。温度等の異なる特性を有する水の塊が層を形成するときに水の層化が生じる。層化は乱流によって乱される可能性があり、これが水の混合された層につながる。
【０００３】
層化が重要である分野は、例えば水等の流体を熱エネルギーの貯蔵に使用することができるエネルギー貯蔵の分野である。水の熱エネルギーは、長期間の間にかなりの程度まで保たれ、この場合、伝導が伝熱の主な理由である。そのような用途では、貯蔵装置の１つのレベルから冷水を取り出し、取り出した水を熱交換器において加熱し、次に、加熱した水を、対応する温度を有するレベルで貯蔵装置に戻すことによって、エネルギーを貯蔵装置にチャージすることができる。エネルギーを放出するには、熱水を貯蔵装置から取り出し、熱交換器において冷却し、対応する温度を有するレベルで貯蔵装置に戻す。この種の用途では、水が貯蔵装置に供給されるときに異なる温度を有する水が混合されないようにし、すなわち層化が損なわれないようにすることが重要である。したがって、水を貯蔵装置に提供するときにエネルギー貯蔵装置において可能な限り小さい乱流を生じることが重要である。
【発明の概要】
【発明が解決しようとする課題】
【０００４】
本発明の一態様による目的は、例えば熱エネルギー貯蔵装置内の乱流による混合が生じることを低減し、したがって、全体的な熱エネルギーの損失を低減するノズルを提供することである。この場合において、最も重要な状況は、停滞した流体容積部に流体を分配することである。
【課題を解決するための手段】
【０００５】
本発明の第１の態様によると、これらの目的は、所定の速度を有する流体を分配するノズルであって、複数の流路を画定し、複数の流路のそれぞれは、管から流体を受け入れるように構成される入口、及び、出口を有し、複数の流路のうちの少なくとも１つは中央流路であり、複数の流路のうちの少なくとも第１の流路及び第２の流路は外側流路であり、外側流路の出口が中央流路の出口の両側に配置され、第１の外側流路の入口が中央流路の入口を包囲し、中央流路の入口は第２の外側流路の入口を包囲し、第２の外側流路は出口領域よりも小さい入口領域を有し、入口の中心軸が出口の中央面に対して実質的に垂直であるノズルによって達成される。
【０００６】
同じ通路の出口領域よりも小さい通路の入口領域を有することにより、入口によって受け入れられる流体は、出口から流れ出る流体の速度に比して高い速度を有する。本発明による流路は、最も高い速度を有する流体の部分が中央流路の出口から流れ出て、より低い速度を有する流体の部分が第１の外側流路及び第２の外側流路の出口から流れ出るように構成されている。第１の外側流路の出口は、入口の中心軸に沿って中央流路の出口の上に配置される。第２の外側流路の出口は、入口の中心軸に沿って中央流路の出口の下に配置される。その結果、出口を介してノズルから流れ出る流体の流れは、高い流速を有する中央部分、及び、低い流速を有する外側部分を有することができ、外側部分は、流れが小さい乱流を生じることができるように中央部分を囲む。これは、流体が停滞した流体容積部に分配される場合に、中央流路の出口から流れる流体、並びに、第１の外側流路及び第２の外側流路の出口から流れる流体の界面において可能になる乱流が停滞した流体容積部を乱さないという点で有利である。
【０００７】
本発明の更なる実施形態では、ノズルは、入口の中心軸に沿って延びる外側円筒壁、内側円筒仕切り壁及び外側円筒仕切り壁を更に備えることができ、これらの壁は入口の中心軸に沿って延び、内側円筒仕切り壁は外側円筒仕切り壁によって包囲され、外側円筒仕切り壁は外側円筒壁によって包囲され、中央流路は外側仕切り壁と内側仕切り壁との間に形成され、第１の外側流路は外側壁と外側仕切り壁との間に形成され、第２の外側流路は内側仕切り壁内に形成される。
【０００８】
円形の壁は、ノズルを円形の管に取り付けるときに特に有用である。円形の壁を用いることによって、流体は、同じ断領域を有する非円形の管を用いることに比して、より速い速度でノズルを通って流れることができる。この実施形態の更なる利点は、より小さい直径を有する円形の壁を用いることができ、これはより費用効率の高いノズルにつながることである。
【０００９】
本発明の別の実施形態によると、ノズルは、外側仕切り壁に比して入口の中心軸に沿って更に延びる内側仕切り壁、外側壁に比して入口の中心軸に沿って更に延びる外側仕切り壁を更に備えることができる。
【００１０】
また別の実施形態によると、ノズルは、外側壁の端及び外側仕切り壁に対して実質的に垂直な方向に外側仕切り壁の端から延びる第１のフランジによって画定される第１の外側流路の出口、第１のフランジ及び内側仕切り壁に対して実質的に垂直な方向に内側仕切り壁の端から延びる第２のフランジによって画定される中央流路の出口、第２のフランジ及び入口の中心軸に沿って第２のフランジの下に位置決めされる底部プレートによって画定される第２の外側流路の出口であって、底部プレートは入口の中心軸に対して実質的に垂直に延びる出口を更に備えることができる。
【００１１】
本発明の一実施形態によると、入口のサイズと出口のサイズとの関係は、第１の外側流路及び第２の外側流路の各出口から流れ出る流体の速度が、中央流路の出口から流れ出る流体よりも実質的に遅いことである。１つの実施形態では、第１の外側流路及び第２の外側流路の各出口から流れ出る流体の速度は、中央流路の出口から流れ出る流体の速度の半分である。したがって、流体と、流体が分配される停滞した流体容積部との間で小さい乱流を達成することができる。
【００１２】
本発明のまた別の実施形態によると、第１の外側流路は、出口領域よりも小さい入口領域を有する。中央流路も、出口領域よりも小さい入口領域を有することができる。入口領域よりも小さい出口領域を有する効果は、前述したように、出口から流れ出る流体の速度が、入口によって受け入れられる流体の速度よりも遅いことである。ノズルのそれぞれの入口及び出口の寸法を決めることによって、それぞれの出口から流れ出る流体の所望の速度を達成することができる。
【００１３】
本発明の別の実施形態によると、第１の外側流路の出口領域は、第２の外側流路の出口領域よりも小さい。これは、第１の外側流路を通って流れる流体の速度が、第２の外側流路を通って流れる流体の速度よりも遅いが、それぞれの流路から流れ出る流体の同じ速度が望ましい場合に有利であり得る。
【００１４】
ノズルは、入口の中心軸に沿って延びる少なくとも１つの補助仕切り壁を更に備えることができ、当該補助仕切り壁は、複数の流路のそれぞれを、少なくとも２つの実質的に等しいサイズの補助流路に分割するように構成されている。ノズルは、互いに対して垂直に配置される第１の補助仕切り壁及び第２の補助仕切り壁を更に備えることができる。これらの補助仕切りは、水平方向の噴射力が生じないように、ノズルから流れ出る流体のより均等な径方向の分配を達成するのに用いられる。本発明の一実施形態によると、ノズルは入れ子管式に接続される。これは、ノズルが幾つかのレベルにおいて、例えばエネルギー貯蔵装置において流体を分配するのに用いられる場合に有利であり得る。
【００１５】
本発明の第２の態様によると、本発明は、所定の速度を有する流体を別の実質的に停滞した流体容積部に分配する、本発明の第１の態様によるノズルの使用を提供する。
本発明の一実施形態によると、流体は第１の温度を有し、流体は、同じ第１の温度を有する実質的に停滞した流体容積部において層に分配される。
【００１６】
第２の態様は概して第１の態様と同じ利点を有することができる。
概して、特許請求の範囲において用いられる全ての用語は、本明細書において別途明示的に規定されない限り、その技術分野におけるそれらの通常の意味に従って解釈されるべきである。「要素、装置、構成要素、手段、ステップ等」への全ての言及は、別途明示的に記載されない限り、上記要素、装置、構成要素、手段、ステップ等の少なくとも１つの例に言及するものとして非限定的に解釈されるべきである。本明細書において開示される任意の方法のステップは、明示的に記載されない限り、開示される正確な順序で行われる必要はない。
【００１７】
ここで、本発明の目下好ましい実施形態を示す添付の図面を参照して、本発明のこの態様及び他の態様をより詳細に説明する。
【図面の簡単な説明】
【００１８】
【図１】本発明の一実施形態によるノズルの斜視図である。
【図２】図１の線ＩＩ−ＩＩに沿った断面図である。
【図３】図１のノズルの断面の斜視図である。
【図４】本発明の一実施形態によるノズルの斜視図である。
【発明を実施するための形態】
【００１９】
水等の流体が平行な層において流れる場合には小さい乱流が生じ、この場合、層間の混合は最小限に保たれる。熱エネルギー貯蔵装置では、熱エネルギーの貯蔵には実質的に停滞した流体容積部が用いられる。流体容積部は流体の層を含み、各層は、実質的に同じ温度を有する流体を含む。例えば新たなエネルギーを貯蔵装置に加えるために流体を貯蔵装置に提供する場合、これらの層の混合を最小限に保つことが重要である。流体を正しい層に、例えば提供される流体と同じ温度を有する流体を有する層に提供し、既に存在する流体容積部と接触する提供される流体の一部が遅い速度を有するようにすることによって、小さい乱流を達成することができる。そのような流れの乱流を小さくする流れの流れプロファイルは、エネルギー貯蔵装置内の流体の異なる温度の層の大部分が損なわれないままであることを確実にすることができる。本発明によるノズルを用いることによって、そのような流れを達成することができる。
【００２０】
図１は、ノズル１００の斜視図を示している。ノズル１００は外側円筒壁１１０を備える。外側円筒壁１１０は、流体がノズル１００によって受け入れられる管の端部であり得る。別の実施形態では、外側円筒壁は、管に連結される別個の部分である。外側円筒壁１１０は外側円筒仕切り壁１２０を包囲する。フランジ１２２が外側円筒仕切り壁１２０の端から周方向に突出する。１つの実施形態では、フランジ１２２の外径は、外側円筒壁１１０の外径と同じである。外側円筒仕切り壁１２０は、内側円筒仕切り壁１３０を包囲する。フランジ１３２が、内側円筒仕切り壁１３０の端から周方向に突出する。１つの実施形態では、フランジ１３２の外径は、外側円筒壁１１０の外径及びフランジ１２２の外径と同じである。第２のフランジの下には底部プレート１４０が位置決めされる。底部プレート１４０は、ノズルを通って流れる流体を乱さない金属プレート（図示せず）によって、又は、当業者が容易に分かる何らかの他の好適な締結手段によって第２のフランジ１３２に締結することができる。底部プレート１４０は、ノズル１００の他の部分にも締結することができる。底部プレート１４０の外径は上述した直径と同じであり得る。直径は、ノズル１００の更なる実施形態では異なるものであり得る。
【００２１】
フランジと壁との間の角度は好ましくは直角である。代替的には、その角度は、流体の水平方向の分配を更に容易にするために鋭角であってもよい。
流路はしたがって、流体が、ノズルによって受け入れられる流体に対して実質的に垂直にノズルから流れ出るように、流れを径方向に方向付ける。この効果は、流体が、入口の中心軸に沿って鉛直方向にノズルによって受け入れられ、出口の中央面に沿って水平方向にノズルから流れ出ることができるものである。換言すると、流路はしたがって、径方向に、例えばノズルの出口から全ての水平方向に流れを方向付けるように構成することができる。流体が全ての水平方向にノズルから流れ出ることの利点は、これが、例えばエネルギー貯蔵装置においてノズルの外側に存在する流体の任意の層の混合のリスクを低減することができることである。別の利点は、その構成が、圧力低下を引き起こす可能性があるいかなる小さいノズル、格子又は網も伴わないことである。さらに、停滞した容積部に入る流体の速度を低減するために大きな錐体又は同様のものが必要とされず、ここで、そのような錐体は、分配のために外周の一部のみを用いるか、及び／又は、設置を複雑にする、受け入れ管よりも大きい幾何学的形状を有する。
【００２２】
ノズル１００の直径は、ノズル１００が用いられる貯蔵装置のサイズに依存する。貯蔵装置がより小さい熱水貯蔵タンクである場合、直径は例えば４０ミリメートルもの小さいものとすることができる。貯蔵装置が大型のエネルギー貯蔵装置である場合、直径は例えば最大２メートルであるものとすることができる。
【００２３】
ノズル１００の異なる部分は、好ましくは電解腐食を回避するために同じ種類の金属から構成される。金属は例えば、ノズルの耐久性を改善するためにステンレスであってもよい。代替的には、ノズルはプラスチック又はセラミック材料から構成される。
【００２４】
第１の外側流路１５０が外側壁１１０と外側仕切り壁１２０との間に形成される。第１の外側流路１５０は、外側壁の端１１２及び第１のフランジ１２２によって画定される出口１５２を有する。出口１５２はしたがって、外側円筒仕切り壁１２０の周りに周方向に延びる。中央流路１６０が外側仕切り壁１２０と内側仕切り壁１３０との間に形成される。中央流路１６０は、第１のフランジ１２２及び第２のフランジ１３２によって画定される出口１６２を有する。出口１６２はしたがって、内側円筒仕切り壁１３０の周りに周方向に延びる。第２の外側流路１７０が内側仕切り壁１３０の内部に形成される。第２の外側流路１７０は、第２のフランジ１３２及び底部プレート１４０によって画定される出口１７２を有する。出口１７２はしたがって、上記で説明した底部プレート１４０の締結手段（図示せず）を除いて、開口した周方向スペースである。ノズルの流路１５０、１６０、１７０は、流体の流れを方向付け、流路１５０、１６０、１７０の出口１５２、１６２、１７２から流れ出る流体の速度も制御するのに用いられる。
【００２５】
ノズル１００は、例えばエネルギーをエネルギー貯蔵装置から回収するために、流体を引き込むのに用いることもできる。流体を効率的に引き込むことを可能にするために、ノズル１００を通って管内に引き込まれるときの流体の圧力低下を低減することが重要である。圧力低下は、流体がノズル１００を通って流れるときの流体に対する摩擦力の結果である。多くの管フィッティング及び継手、管の収束、分岐、曲がり、表面粗さ並びに他の物理的特性を有する配管網が、圧力低下に影響を与える。さらに、大気圧においてポンプを用いて１００℃に近い温度を有する流体の水を引き込むことは、結果として、ポンプ及び沸騰する流体内でキャビテーションを生じる可能性がある。したがって、ノズル１００は好ましくは、圧力低下が低減され、かつ、流体の回収に十分に適するように、疎らな構造を有するように設計される。
【００２６】
ノズル１００の例示的な実施形態は、２つの外側流路１５０、１７０を備える。更なる実施形態では、ノズル１００は、例えば４つ又は６つ等の任意の数の外側流路を備えることができる。
【００２７】
図２は、図１の線ＩＩ−ＩＩに沿った断面図を示しており、外側壁１１０と、外側仕切り壁１２０と、内側仕切り壁１３０との間の例示的な比率を示している。外側壁１１０及び外側仕切り壁１２０は第１の外側流路１５０の入口２１０を画定する。入口は領域２１５を有する。外側仕切り壁１２０及び内側仕切り壁１３０は、中央流路１６０の入口２２０を画定する。入口２２０は領域２２５を有する。内側仕切り壁１３０は第２の外側流路１７０の入口２３０を画定する。入口は領域２３５を有する。各壁１１０、１２０、１３０の厚さは、この実施形態では類似しているが、更なる実施形態では異なっていてもよい。例えば、外側壁１１０が流体をノズルに導く管の一部である場合、外側壁は、管の特性及び要件に起因して仕切り壁１２０、１３０よりも厚いものとすることができる。
【００２８】
図３は、図１のノズルの断面の斜視図を示している。図３は、ノズル１００の出口領域ａ１、ａ２、ａ３の比率を示している。上述したように、ノズル１００は、所定の速度を有する流体を、別の実質的に停滞した流体容積部に乱流を生じないように分配することができる。出口１５２、１６２、１７２を通る流体の流出流の速度は、対応する入口に入るときの流体の速度、入口２１０、２２０、２３０の領域２１５、２２５、２３５及び出口１５２、１６２、１７２の領域ａ１、ａ２、ａ３に依存する。
【００２９】
流路１５０、１６０、１７０の入口２１０、２２０、２３０によって受け入れられる流体の速度は、ノズル１００に接続される管の特性に依存する。非常に短い管では、流れる流体の速度は、管の断面全体にわたって実質的に同じである。より長い管では、流れの速度プロファイルは錐体のように見える。管の中央を流れる流体の部分が最も高い速度を有する。管の壁のより近くを流れる流体の部分がより低い速度を有する。流体が壁の近くを流れるほど、速度は低くなる。
【００３０】
上述したように、管内の流体の速度は一定ではないため、領域ａ１、ａ２及びａ３は、小さい乱流を達成するように好適に適合しなければならない。例えば、より大きい出口領域であれば出口速度がより遅くなることが良く知られている。任意の管フィッティング及び継手、管の収束、分岐、管の曲がり又は同様のものも流体の速度プロファイルに影響する。したがって、好ましくは、ノズル１００の寸法は、ノズル１００が接続される管に適合される。換言すると、ノズル１００の寸法は好ましくは、ノズル１００によって受け入れられる流体の速度プロファイルに適合される。ノズル１００は、３つの流路１５０、１６０、１７０を有するノズル１００を形成する少数の要素を使用する。これは、時間効率かつ費用効率の高い製造プロセスを可能にする。ノズル１００の設計は、ノズルを製造するときに流路１５０、１６０、１７０の寸法の単純な変更を更に可能にし、様々な条件に対する、様々な仕様を有するノズルを製造することを簡単にする。
【００３１】
外側流路１５０、１７０から流れ出る流体の目的は、流体が実質的に停滞した流体容積部と直接接触するときに乱流の混合が低減されるように、流体が十分に減速されるまで、実質的に停滞した流体容積部を、中央流路１６０から流れ出る流体から遮蔽することである。前述したように、流体を実質的に停滞した流体容積部内に分配するノズル１００を用いることの利点は、停滞した流体容積部と分配される流体との間のいかなる乱流の混合も最小限に抑えられることである。これは、出口１６２から出る分配された流体の中央部分と、出口１５２及び１７２から出る分配された流体の外側部分との間の乱流を可能にするが、外側部分と停滞した流体容積部との間の乱流を最小限に抑えることによってなされる。これは、中央部分の速度に比して実質的に遅い速度で流体の外側部分を分配するノズル１００によって達成される。外側流路１５０、１７０から流れ出る流体の速度は、この目的を満たすために十分に速くあるべきであるが、はるかに速くなくてもよい。換言すると、外側流路から流れ出る流体の速度は、可能な限りゼロに近くあるべきであるが、流体が実質的に停滞した流体容積部と直接接触するときに、いかなる乱流の混合も最小限に抑えるために、流体が十分に減速されるまで、実質的に停滞した流体容積部を、中央流路１６０から流れ出る流体から遮蔽するほど十分な速度を依然として有するべきである。
【００３２】
図４は、本発明の一実施形態によるノズル１００の斜視図を示している。ノズル１００のこの実施形態は、２つの補助仕切り壁４１０、４２０を備える。補助仕切り壁４１０、４２０は平坦であり、入口２１０、２２０、２３０及び流路１５０、１６０、１７０がそれぞれ４つの等しい部分に分割されるように、ノズルの上部から底部プレート１４０まで延びる。ノズル１００を管に取り付けるためにプレート４３０が設けられる。補助仕切り壁は、流体の流れを補助流れに分割し、これは、ノズルからの流体の、全ての方向へのより均等に分配される流出流を達成するために有利であり得る。補助仕切り壁４１０、４２０の数は、更なる実施形態では３つ以上であってもよい。
【００３３】
当業者は、本発明が上述した実施形態に決して限定されないことを認識する。それどころか、多くの修正形態及び変形形態が添付の特許請求の範囲内で可能である。例えば、出口１６２の領域ａ２は、出口１６２から流れ出る流体をノズル１００から遠くに到達させるのに有利であれば、対応する入口領域２２５よりも小さいものとすることができる。
【００３４】
流体が低下した速度で流れる複数の外側流路を有し、この場合、中央流路に最も近い外側流路が最も速い速度を有することは、乱流の混合を更に低減することができ、これは、中央の流れの速度をより速くすることができるという点で有利である。
【図１】
0005856361.tif 000002
【図２】
0005856361.tif 000003
【図３】
0005856361.tif 000004
【図４】
0005856361.tif 000005